(57)【要約】【課題】放射線の測定面積を変更することができる放射線測定技術を提供する。【解決手段】放射線測定装置１は、希ガスが充填された筒状部１７と筒状部１７の内部に張られたワイヤ１８とを有する放射線検出部５と、放射線検出部５の一端にある第１端子２１に接続され、放射線Ｒの入射により筒状部１７とワイヤ１８との間に流れる電流に基づくパルス信号を取得する信号取得部６と、放射線検出部５の他端にある第２端子２２に接続され、この放射線検出部５を他の放射線検出部５に連結する連結ケーブル２０と、信号取得部６で取得したパルス信号に基づいて放射線Ｒの入射を測定する測定部１０とを備える。【選択図】図１
2020079751.tif 000002
【特許請求の範囲】
【請求項１】
希ガスが充填された筒状部と前記筒状部の内部に張られたワイヤとを有する放射線検出部と、
前記放射線検出部の一端にある第１端子に接続され、放射線の入射により前記筒状部と前記ワイヤとの間に流れる電流に基づくパルス信号を取得する信号取得部と、
前記放射線検出部の他端にある第２端子に接続され、この放射線検出部を他の前記放射線検出部に連結する連結ケーブルと、
前記信号取得部で取得した前記パルス信号に基づいて前記放射線の入射を測定する測定部と、
を備える放射線測定装置。
【請求項２】
前記連結ケーブルにより複数の前記放射線検出部が直列に連結される請求項１に記載の放射線測定装置。
【請求項３】
複数の前記放射線検出部を並設して矩形が形成されるように配置した請求項１または請求項２に記載の放射線測定装置。
【請求項４】
並設された複数の前記放射線検出部の前記筒状部の長手方向に対して直交し、前記矩形の一辺に隣接するように追加の前記放射線検出部を配置した請求項３に記載の放射線測定装置。
【請求項５】
前記信号取得部に最初に取得された前記パルス信号の初期波と、終端となる前記第２端子で反射された前記パルス信号の反射波の取得時刻の差に基づいて、前記放射線の入射位置を特定する位置特定部を備える請求項１から請求項４のいずれか１項に記載の放射線測定装置。
【請求項６】
終端となる前記第２端子に取り付けられた終端器を備える請求項５に記載の放射線測定装置。
【請求項７】
前記信号取得部で前記反射波を取得した後に一定時間に亘って前記パルス信号の取得を停止するノイズ除去部を備える請求項５または請求項６に記載の放射線測定装置。
【請求項８】
希ガスが充填された筒状部と前記筒状部の内部に張られたワイヤとを有する放射線検出部の一端にある第１端子に信号取得部を接続するステップと、
前記放射線検出部の他端にある第２端子に接続された連結ケーブルにより、この放射線検出部を他の前記放射線検出部に連結するステップと、
放射線の入射により前記筒状部と前記ワイヤとの間に流れる電流に基づくパルス信号を前記信号取得部で取得するステップと、
前記信号取得部で取得した前記パルス信号に基づいて前記放射線の入射を測定するステップと、
を含む放射線測定方法。
【発明の詳細な説明】
【技術分野】
【０００１】
本発明の実施形態は、放射線測定装置および放射線測定方法に関する。
【背景技術】
【０００２】
従来、放射性物質から放射される中性子などの放射線を測定する放射線測定装置がある。例えば、光ファイバに放射線が当たったときに生じるチェレンコフ光を光ファイバの両端部の検出器で検出し、その検出の時間差から放射線の入射位置を算定する技術が知られている。
【先行技術文献】
【特許文献】
【０００３】
【特許文献１】特開平６−２９４８７１号公報
【発明の概要】
【発明が解決しようとする課題】
【０００４】
放射線測定装置の運用途中で放射線の測定の対象となる対象物の形状または大きさが変更される場合がある。その場合には、放射線測定装置で放射線を測定可能な面積を自在に変更させる必要がある。しかしながら、前述の技術では、放射線の測定面積を容易に変更できないという課題がある。
【０００５】
本発明の実施形態は、このような事情を考慮してなされたもので、放射線の測定面積を変更することができる放射線測定技術を提供することを目的とする。
【課題を解決するための手段】
【０００６】
本発明の実施形態に係る放射線測定装置は、希ガスが充填された筒状部と前記筒状部の内部に張られたワイヤとを有する放射線検出部と、前記放射線検出部の一端にある第１端子に接続され、放射線の入射により前記筒状部と前記ワイヤとの間に流れる電流に基づくパルス信号を取得する信号取得部と、前記放射線検出部の他端にある第２端子に接続され、この放射線検出部を他の前記放射線検出部に連結する連結ケーブルと、前記信号取得部で取得した前記パルス信号に基づいて前記放射線の入射を測定する測定部と、を備える。
【発明の効果】
【０００７】
本発明の実施形態により、放射線の測定面積を変更することができる放射線測定技術が提供される。
【図面の簡単な説明】
【０００８】
【図１】第１実施形態の放射線測定装置のシステムを示すブロック図。
【図２】第１実施形態の放射線検出部を示す構成図。
【図３】第１実施形態の増設された放射線検出部を示す構成図。
【図４】第１実施形態のパルス信号の波形を示すグラフ。
【図５】放射線測定方法を示すフローチャート。
【図６】放射線測定処理を示すフローチャート。
【図７】第２実施形態の放射線検出部を示す構成図。
【図８】第２実施形態のパルス信号の波形を示すグラフ。
【図９】変形例の増設された放射線検出部を示す構成図。
【発明を実施するための形態】
【０００９】
（第１実施形態）
以下、本実施形態を添付図面に基づいて説明する。まず、第１実施形態の放射線測定装置について図１から図６を用いて説明する。
【００１０】
図１の符号１は、放射線測定装置である。本実施形態の放射線測定装置１で測定する放射線Ｒとして中性子線を例示する。また、測定の対象となる対象物Ｑとして放射性物質の含有量が不明であり、臨界が生じた場合に中性子を放出する中性子放出物質を例示する。このような対象物Ｑにおいて、臨界が生じているかどうかを見極めるために、中性子線の検出が指標となる。なお、対象物Ｑには、形状および大きさが不安定なものがある。また、対象物Ｑを複数個に解体する場合がある。また、固体の対象物Ｑの他に液状のものもある。そのため、対象物Ｑの形状または大きさの変化に応じて、放射線測定装置１の放射線Ｒの測定面積を適宜変更する必要がある。
【００１１】
図１に示すように、放射線測定装置１は、試料台２に載せられた対象物Ｑから放射される放射線Ｒを検出する放射線検出ユニット３と、この放射線検出ユニット３から出力される信号を処理する信号処理ユニット４とを備える。放射線検出ユニット３は、複数本の放射線検出部５から成る。
【００１２】
信号処理ユニット４は、信号取得部６と増幅回路７と設定記憶部８と計時部９と測定部１０とデータ記憶部１１とデータ表示部１２とを備える。また、測定部１０は、計数回路１３と位置特定部１４と波形識別部１５とノイズ除去部１６とを備える。
【００１３】
信号取得部６は、放射線検出ユニット３から出力されるパルス信号を取得する。増幅回路７は、信号取得部６で取得したパルス信号の増幅を行う。
【００１４】
設定記憶部８は、放射線検出ユニット３を構成する放射線検出部５の本数などの設定情報を記憶する。
【００１５】
計時部９は、リアルタイムクロックを含み、パルス信号を取得した時刻を特定するために用いられる。また、１つのパルス信号を取得した時点からの経過時間を計時するためにも用いられる。
【００１６】
データ記憶部１１は、測定部１０で測定した放射線の計数値または入射位置などの各種データを記憶する。データ表示部１２は、データ記憶部１１に記憶されたデータを表示する。
【００１７】
測定部１０は、信号取得部６で取得したパルス信号に基づいて放射線Ｒの入射を測定する処理を行う。
【００１８】
計数回路１３は、放射線Ｒの検出回数を計数する処理を行う。位置特定部１４は、パルス信号の初期波とパルス信号の反射波の取得時刻の差に基づいて、放射線Ｒの入射位置を特定する処理を行う。
【００１９】
波形識別部１５は、振幅および波長に基づいて、パルス信号の初期波とパルス信号の反射波とを識別する処理を行う。ノイズ除去部１６は、ノイズとなるパルス信号の波形を除去する処理を行う。
【００２０】
信号処理ユニット４が備える測定部１０は、メモリまたはＨＤＤに記憶されたプログラムがＣＰＵによって実行されることで実現される。
【００２１】
本実施形態のシステムは、ＣＰＵ、ＲＯＭ、ＲＡＭ、ＨＤＤなどのハードウェア資源を有し、ＣＰＵが各種プログラムを実行することで、ソフトウェアによる情報処理がハードウェア資源を用いて実現されるコンピュータで構成される。
【００２２】
図２に示すように、初期の状態では、３本の放射線検出部５を用いて放射線検出ユニット３が構成される。放射線検出部５は、円筒形状を成す筒状部１７と、この筒状部１７の内部に張られたワイヤ１８とを有する。筒状部１７の内部は、アルゴンガスまたはキセノンガスなどの希ガスが充填されている。
【００２３】
なお、複数本の放射線検出部５は、互いの筒状部１７が平行を成すように配置されるとともに、互いの筒状部１７が接触または近接されて配置される。つまり、複数本の放射線検出部５が一方向（図２では紙面上下方向）に並んで配置される。そして、放射線検出部５同士が所定の固定治具で一体化され、矩形（四角形）の平板状を成す放射線検出ユニット３が形成される。また、これら放射線検出部５が一体化されたときの放射線検出ユニット３の矩形状を成す面積が放射線Ｒの測定面積となっている。このように並設されて矩形状を成す放射線検出ユニット３を対象物Ｑに近接させて放射線Ｒの測定を行う（図１参照）。
【００２４】
所定の１本の放射線検出部５は、基部ケーブル１９を介して信号処理ユニット４の信号取得部６に接続される。なお、それぞれの放射線検出部５において、一方の端部には第１端子２１が設けられ、他方の端部には第２端子２２が設けられる。
【００２５】
信号取得部６は、放射線検出部５の一端にある第１端子２１に接続され、放射線Ｒの入射により筒状部１７とワイヤ１８との間に流れる電流に基づくパルス信号を取得する。
【００２６】
以下の説明において、信号取得部６に電気回路的に近い側を基端側として説明する。つまり、それぞれの放射線検出部５において、基端側にある端子が第１端子２１であり、その反対側の端部にある端子が第２端子２２である。また、信号取得部６に電気回路的に最も遠い端部を終端として説明する。
【００２７】
最も基端側にある放射線検出部５Ａの第２端子２２には、連結ケーブル２０が接続される。この連結ケーブル２０が他の放射線検出部５の第１端子２１に接続される。つまり、連結ケーブル２０により１の放射線検出部５の第２端子２２と他の放射線検出部５の第１端子２１とが連結される。さらに、この他の放射線検出部５の第２端子２２に連結ケーブル２０が接続され、この連結ケーブル２０が終端にある放射線検出部５Ｂの第１端子２１に接続される。つまり、連結ケーブル２０により複数本の放射線検出部５が電気回路として直列に接続される。
【００２８】
基部ケーブル１９および連結ケーブル２０は、一般的な同軸ケーブルから成る。なお、同軸ケーブルとは、断面視で円形状を成し、中心軸に内部導体が設けられ、この内部導体を絶縁体で覆い、その周囲に外部導体を設け、さらにその周囲を保護被覆で覆ったものである。なお、同軸ケーブルにおいて、内部導体がワイヤ１８に接続され、外部導体が筒状部１７に接続される。
【００２９】
放射線検出部５に放射線Ｒの入射が無い場合において、筒状部１７とワイヤ１８の間には電流が流れていない。ここで、放射線検出部５に放射線Ｒが入射されると、筒状部１７とワイヤ１８の間に存在する希ガスが電離され、筒状部１７とワイヤ１８との間に電流が流れる。この電流に基づくパルス信号がワイヤ１８に生じる。
【００３０】
ワイヤ１８に生じたパルス信号は、放射線Ｒの入射位置Ｐを起点として、基端側に向かう第１方向Ｃ１と、その反対側に向かう第２方向Ｃ２とに流れる。第１方向Ｃ１に流れたパルス信号は、信号取得部６に最初に取得される。一方、第２方向Ｃ２に流れたパルス信号は、連結ケーブル２０を介して他の放射線検出部５に流れ、さらに終端にある放射線検出部５Ｂまで流れる。
【００３１】
そして、終端にある放射線検出部５Ｂの第２端子２２Ｂで反射される。終端の第２端子２２Ｂは、片側が電気的開放状態であることによりインピーダンス不整合となり、パルス信号を反射させる。反射されたパルス信号は、伝達された経路を逆走し、信号取得部６まで流れる。なお、信号取得部６に最初に取得されるパルス信号を初期波Ｗ１と称し、終端となる第２端子２２Ｂで反射されたパルス信号を反射波Ｗ２と称する。
【００３２】
図４は、信号取得部６で取得されたパルス信号の波形を示すグラフである。このように、初期波Ｗ１と反射波Ｗ２の２つのピークがある波形が取得される。初期波Ｗ１が到達した後に反射波Ｗ２が到達する。そして、初期波Ｗ１と反射波Ｗ２との取得時刻の差Ｄに基づいて、放射線Ｒの入射位置Ｐを特定することができる。例えば、入射位置Ｐが信号取得部６に近いと時間差Ｄは大きくなり、入射位置Ｐが信号取得部６に遠いと時間差Ｄは小さくなる。つまり、時間差Ｄは、入射位置Ｐから終端となる第２端子２２Ｂまでの電気回路的な距離に比例する。このようにすれば、簡素な処理で放射線Ｒの入射位置Ｐを特定することができる。この入射位置Ｐを特定することにより、対象物Ｑにおける放射線Ｒの大凡の発生位置を特定することができる。
【００３３】
なお、入射位置Ｐの特定は、複数の放射線検出部５において、少なくとも放射線Ｒを検出した放射線検出部５を特定できるものであれば良い。
【００３４】
なお、ワイヤ１８に生じたパルス信号は、終端となる第２端子２２Ｂで反射されるとともに、基端側の信号取得部６でも反射される。つまり、初期波Ｗ１および反射波Ｗ２は、終端となる第２端子２２Ｂと信号取得部６との間で何度も往復され、ノイズとなるパルス信号の波形が生じる。そこで、ノイズ除去部１６（図１参照）は、信号取得部６で反射波を取得した後に一定時間に亘ってパルス信号の取得を停止する処理を行う。このノイズとなる波形は、往復する度に弱まり、短時間で消滅する。パルス信号の取得停止処理は、ノイズが消滅するまでの時間に亘って継続される。このようにすれば、ノイズとなるパルス信号に基づく誤検出を低減することができる。
【００３５】
また、連結ケーブル２０が屈曲されることで、そのインピーダンスが変化した場合に、２次、３次の複数の反射波Ｗ２が生じる場合がある。このような反射波Ｗ２は、不要なパルス信号、即ち電気雑音であるため、パルス信号の取得停止処理により排除するようにする。このようにすれば、誤検出を低減して放射線Ｒの計数機能の精度を高めることができる。
【００３６】
図３に示すように、放射線検出部５を増設することができる。例えば、初期の状態（図２参照）で３本の放射線検出部５が電気回路として直列に連結された状態で終端にある放射線検出部５の第２端子２２に連結ケーブル２０を接続する。この連結ケーブル２０にさらに増設用の放射線検出部５の第１端子２１を接続する。さらに、増設用の放射線検出部５を追加して、５本の放射線検出部５が連結される。このようにして、５本の放射線検出部５が一方向（図３では紙面上下方向）に並んで配置される。
【００３７】
連結ケーブル２０により放射線検出部５を連結して放射線検出ユニット３が構成されることで、放射線検出部５の本数を容易に増やすことができる。そして、放射線Ｒの測定面積を拡大することができる。また、複数の放射線検出部５が増設されても、信号処理ユニット４（測定部１０）を増やす必要がなく、１つの信号処理ユニット４で放射線Ｒの入射を測定することができる。また、放射線検出部５の本数を減らして放射線Ｒの測定面積を縮小しても良い。本実施形態では、対象物Ｑの形状または大きさに応じて、放射線検出部５の本数を増やしたり減らしたりすることで、放射線Ｒの測定面積を容易に変更することができる。
【００３８】
なお、放射線検出部５の連結本数に応じて、初期波Ｗ１と反射波Ｗ２との取得時刻の差Ｄと、放射線Ｒの入射位置Ｐとの関係が変化する。そのため、放射線検出部５の連結本数を示す設定情報が設定記憶部８に記憶される。設定情報には、放射線検出部５と基部ケーブル１９と連結ケーブル２０の長さに関する情報も含まれる。そして、この設定情報と取得時刻の差Ｄに基づいて、位置特定部１４が入射位置Ｐを特定する処理を行う。また、初期波Ｗ１と反射波Ｗ２とがワイヤ１８に重畳して伝搬されるので、簡素な構成の回路で入射位置Ｐを特定することができる。
【００３９】
計数回路１３が計数した放射線Ｒの検出回数である計数値と、位置特定部１４が特定した放射線Ｒの入射位置Ｐとがデータ記憶部１１に記憶される。なお、これらの情報は、測定時刻とともにデジタル信号としてデータ記憶部１１に記憶される。そして、データ記憶部１１に記憶されたデータを、データ表示部１２に表示させることができる。なお、放射線Ｒの計数値と入射位置Ｐと測定時刻とに基づいて、対象物Ｑにおける放射線Ｒの発生位置の分布を集計し、データ表示部１２に表示させても良い。
【００４０】
次に、放射線測定装置１が実行する放射線測定方法について図５のフローチャートを用いて説明する。この放射線測定装置１に受動的に生じる作用を含めて説明する。なお、図１に示すブロック図を適宜参照する。
【００４１】
図５に示すように、まず、ステップＳ１１において、放射線測定装置１の使用者は、最も基端側の放射線検出部５Ａの第１端子２１Ａに基部ケーブル１９の一端を接続する。そして、基部ケーブル１９の他端を信号処理ユニット４の信号取得部６に接続する。
【００４２】
次のステップＳ１２において、使用者は、最も基端側の放射線検出部５Ａの第２端子２２に連結ケーブル２０を接続し、この連結ケーブル２０を他の放射線検出部５の第１端子２１に接続する。これを順次行うことで、複数本の放射線検出部５を連結ケーブル２０により電気回路として直列に連結する。
【００４３】
次のステップＳ１３において、使用者は、放射線検出部５の連結本数を含む各種の設定情報を設定記憶部８に記憶させる。
【００４４】
次のステップＳ１４において、使用者は、放射線測定装置１を用いて対象物Ｑから放射される放射線Ｒの測定を開始する。つまり、放射線測定装置１は放射線測定処理の実行を開始する。
【００４５】
次に、放射線測定装置１が実行する放射線測定処理について図６のフローチャートを用いて説明する。この放射線測定装置１に受動的に生じる作用を含めて説明する。なお、図１に示すブロック図を適宜参照する。この処理は、一定時間毎に繰り返される処理である。
【００４６】
図６に示すように、まず、ステップＳ２１において、信号処理ユニット４は、パルス信号の取得が一旦停止中であることを示す一旦停止タイマがカウント中であるか否かを判定する。ここで、一旦停止タイマがカウント中である場合（ステップＳ２１がＹＥＳ）は、処理を終了する。一方、一旦停止タイマがカウント中でない場合（ステップＳ２１がＮＯ）は、ステップＳ２２に進む。
【００４７】
次のステップＳ２２において、信号取得部６は、パルス信号を取得したか否かを判定する。ここで、パルス信号を取得していない場合（ステップＳ２２がＮＯ）は、処理を終了する。一方、パルス信号を取得した場合（ステップＳ２２がＹＥＳ）は、ステップＳ２３に進む。
【００４８】
次のステップＳ２３において、波形識別部１５は、振幅および波長に基づいて、取得したパルス信号が初期波Ｗ１であるか否かを判定する。ここで、パルス信号が初期波Ｗ１でない場合（ステップＳ２３がＮＯ）は、後述のステップＳ２５に進む。一方、パルス信号が初期波Ｗ１である場合（ステップＳ２３がＹＥＳ）は、ステップＳ２４に進む。
【００４９】
次のステップＳ２４において、測定部１０は、初期波Ｗ１の取得時刻をデータ記憶部１１に記憶し、処理を終了する。
【００５０】
前述のパルス信号が初期波Ｗ１でない場合に進むステップＳ２５において、波形識別部１５は、振幅および波長に基づいて、取得したパルス信号が反射波Ｗ２であるか否かを判定する。ここで、パルス信号が反射波Ｗ２でない場合（ステップＳ２５がＮＯ）は、処理を終了する。一方、パルス信号が反射波Ｗ２である場合（ステップＳ２５がＹＥＳ）は、ステップＳ２６に進む。
【００５１】
次のステップＳ２６において、測定部１０は、反射波Ｗ２の取得時刻をデータ記憶部１１に記憶する。
【００５２】
次のステップＳ２７において、計数回路１３は、放射線Ｒの計数値に１を加算する。つまり、放射線Ｒの入射回数を計数する。
【００５３】
次のステップＳ２８において、位置特定部１４は、初期波Ｗ１と反射波Ｗ２との取得時刻の差Ｄに基づいて、放射線Ｒの入射位置Ｐを特定する。
【００５４】
次のステップＳ２９において、計時部９は、パルス信号の取得を一旦停止する一旦停止タイマのカウントを開始し、処理を終了する。なお、一旦停止タイマには、予め決められたカウント値がセットされる。そして、一旦停止タイマは、一定時間経過にカウントが終了する。
【００５５】
（第２実施形態）
次に、第２実施形態の放射線測定装置１について図７から図８を用いて説明する。なお、前述した実施形態に示される構成部分と同一構成部分については同一符号を付して重複する説明を省略する。
【００５６】
図７に示すように、第２実施形態の放射線検出ユニット３では、３本の放射線検出部５が連結されている。そして、終端にある放射線検出部５Ｂの第２端子２２Ｂには、終端器２３（終端抵抗器）が取り付けられる。この終端器２３を取り付けることにより、インピーダンス不整合の状態が変化する。そのため、パルス信号が終端となる第２端子２２Ｂで反射されるときに、電気的に逆極性の反射波Ｗ２が生じるようになる（図８参照）。
【００５７】
このようにすれば、終端となる第２端子２２Ｂで反射されたパルス信号の反射波Ｗ２が、初期波Ｗ１とは逆極性となるので、反射波Ｗ２の特定をすることができる。つまり、波形識別部１５（図１参照）で反射波Ｗ２とそれ以外の波形を識別し易くなる。
【００５８】
本実施形態に係る放射線測定装置を第１実施形態から第２実施形態に基づいて説明したが、いずれか１の実施形態において適用された構成を他の実施形態に適用しても良いし、各実施形態において適用された構成を組み合わせても良い。
【００５９】
なお、本実施形態のフローチャートにおいて、各ステップが直列に実行される形態を例示しているが、必ずしも各ステップの前後関係が固定されるものでなく、一部のステップの前後関係が入れ替わっても良い。また、一部のステップが他のステップと並列に実行されても良い。
【００６０】
本実施形態のシステムは、専用のチップ、ＦＰＧＡ（Field Programmable Gate Array）、ＧＰＵ（Graphics Processing Unit）、またはＣＰＵ（Central Processing Unit）などのプロセッサを高集積化させた制御装置と、ＲＯＭ（Read Only Memory）またはＲＡＭ（Random Access Memory）などの記憶装置と、ＨＤＤ（Hard Disk Drive）またはＳＳＤ（Solid State Drive）などの外部記憶装置と、ディスプレイなどの表示装置と、マウスまたはキーボードなどの入力装置と、通信インターフェースとを備える。このシステムは、通常のコンピュータを利用したハードウェア構成で実現できる。
【００６１】
なお、本実施形態のシステムで実行されるプログラムは、ＲＯＭなどに予め組み込んで提供される。もしくは、このプログラムは、インストール可能な形式または実行可能な形式のファイルでＣＤ−ＲＯＭ、ＣＤ−Ｒ、メモリカード、ＤＶＤ、フレキシブルディスク（ＦＤ）などのコンピュータで読み取り可能な非一過性の記憶媒体に記憶されて提供するようにしても良い。
【００６２】
また、このシステムで実行されるプログラムは、インターネットなどのネットワークに接続されたコンピュータ上に格納し、ネットワーク経由でダウンロードさせて提供するようにしても良い。また、このシステムは、構成要素の各機能を独立して発揮する別々のモジュールを、ネットワークまたは専用線で相互に接続し、組み合わせて構成することもできる。
【００６３】
なお、本実施形態では、測定する放射線として中性子線を例示しているが、その他の態様であっても良い。例えば、測定する放射線は、ガンマ線、ミューオン、または陽子線であっても良い。
【００６４】
なお、本実施形態では、中性子放出物質を対象物Ｑとしているが、対象物Ｑは、その他の態様であっても良い。例えば、核燃料を対象物Ｑとしても良いし、人体を対象物Ｑとしても良い。原発作業員の内部被ばく検査に用いるホールボディカウンタの大きさを調整するために本実施形態を適用しても良い。
【００６５】
なお、本実施形態では、直線状に延びる筒状部１７を有する放射線検出部５を例示しているが、筒状部１７が屈曲されているものであっても良い。また、筒状部１７は、円筒形状を成すものに限らず、角柱形状を成すものであっても良い。
【００６６】
なお、本実施形態では、複数本の放射線検出部５が一方向（図３では紙面上下方向）に並んで配置され、かつ増設用の放射線検出部５も一方向に並ぶように配置されるが、その他の増設形態でも良い。例えば、増設用の放射線検出部５を一方向のみならず、他方向に並べても良い。例えば、図９の変形例に示すように、５本の放射線検出部５が一方向に並んでいる場合に、増設用の６本目の放射線検出部５を他方向（図９では紙面左右方向）に並べても良い。つまり、並設された５本の放射線検出部５の筒状部１７の長手方向に対して直交し、これら５本の放射線検出部５が一体化されて形成される矩形の一辺に隣接するように６本目の放射線検出部５を追加する。
【００６７】
なお、図９では、理解を助けるために、増設用の６本目の放射線検出部５の筒状部１７と、他の放射線検出部５の端子２１，２２との間に隙間を設けて図示しているが、増設用の６本目の放射線検出部５の筒状部１７を、他の放射線検出部５の端子２１，２２および連結ケーブル２０に重ねて配置することで、隙間ができないようしても良い。さらに、７本目、８本目の放射線検出部５を他方向に並べて増設しても良い。
【００６８】
以上説明した少なくとも１つの実施形態によれば、放射線検出部の他端にある第２端子に接続され、この放射線検出部を他の放射線検出部に連結する連結ケーブルを備えることにより、放射線の測定面積を変更することができる。
【００６９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【００７０】
１…放射線測定装置、２…試料台、３…放射線検出ユニット、４…信号処理ユニット、５（５Ａ，５Ｂ）…放射線検出部、６…信号取得部、７…増幅回路、８…設定記憶部、９…計時部、１０…測定部、１１…データ記憶部、１２…データ表示部、１３…計数回路、１４…位置特定部、１５…波形識別部、１６…ノイズ除去部、１７…筒状部、１８…ワイヤ、１９…基部ケーブル、２０…連結ケーブル、２１（２１Ａ）…第１端子、２２（２２Ｂ）…第２端子、２３…終端器、Ｃ１…第１方向、Ｃ２…第２方向、Ｄ…時間差、Ｐ…入射位置、Ｑ…対象物、Ｒ…放射線、Ｗ１…初期波、Ｗ２…反射波。
【図１】
2020079751.tif 000003
【図２】
2020079751.tif 000004
【図３】
2020079751.tif 000005
【図４】
2020079751.tif 000006
【図５】
2020079751.tif 000007
【図６】
2020079751.tif 000008
【図７】
2020079751.tif 000009
【図８】
2020079751.tif 000010
【図９】
2020079751.tif 000011